(57)【特許請求の範囲】
【請求項１】
支柱に横ビームを取り付けるための防護柵用横ビーム取付金具において、
板材をＵ字状に折り曲げることにより、前記支柱に巻き付けられるバンド部と前記横ビームが取り付けられる一対の横ビーム取付部とが形成され、前記横ビーム取付部の各々には、前記横ビームの仮置き部と、横ビーム取付ボルトが挿通されるボルト孔とが形成され、前記バンド部は、前記支柱のキャップと一体化され、前記仮置き部は、前記横ビーム取付部の下部に形成された支持材差し込み用開口と、前記支持材差し込み用開口内に挿入可能な支持材とからなっていることを特徴とする防護柵用横ビーム取付金具。
【発明の詳細な説明】
【技術分野】
【０００１】
この発明は、防護柵用横ビーム取付金具、特に、支柱への横ビームの取り付けが容易に行え、しかも、外観に優れた防護柵用横ビーム取付金具に関するものである。
【背景技術】
【０００２】
防護柵は、例えば、支柱と支柱間に取り付けられた横ビームとからなり、歩行者の路外転落や車道への立ち入りを防止する目的で設置される。
【０００３】
このような防護柵において、支柱に横ビームを取り付けるための防護柵用横ビーム取付金具の一例が特許文献１に開示されている。以下、この防護柵用横ビーム取付金具を従来取付金具Ａといい、図面を参照しながら説明する。
【０００４】
図９は、従来取付金具Ａによる支柱と横ビームとの取り付け部分を示す分解斜視図である。
【０００５】
図９に示すように、従来取付金具Ａは、両側下部に受け部２４が形成された受け金具２３と、両側上部に被せ部２６が形成された被せ金具２５とからなっている。
【０００６】
従来取付金具Ａにより支柱２１に横ビーム２２を取り付けるには、図９に示すように、まず、受け金具取付ボルト２７を支柱２１の背面側に形成されたボルト孔（図示せず）と、支柱２１の正面側に形成されたボルト孔２８と、支柱２１の正面側に当接した受け金具２３に形成されたボルト孔２９とに挿通し、ナット３０により受け金具２３を支柱２１に固定する。
【０００７】
次に、受け金具２３の受け部２４に横ビーム２２の端部を載置して、横ビーム２２を受け金具２３に仮置きする。
【０００８】
そして、被せ金具２５の被せ部２６を横ビーム２２の端部に被せると共に、被せ金具２５を支柱２１に当接し、横ビーム取付ボルト３１を被せ金具２５のボルト孔３２と、横ビーム２２の端部に形成されたボルト孔３３と、受け金具２３の端部に形成されたボルト孔３４とに挿通し、ナット３５により横ビーム２２を受け金具２３および被せ金具２５を介して支柱２１に取り付ける。この際、被せ金具２５に形成された貫通孔３６は、受け金具取付ボルト２７の頭部より大きく形成されているので、横ビーム２２を受け金具２３に仮置きした後、被せ金具２５を支柱２１に固定することができる。
【０００９】
支柱に横ビームを取り付けるための防護柵用横ビーム取付金具の別の例が特許文献２に開示されている。以下、この防護柵用横ビーム取付金具を従来取付金具Ｂといい、図面を参照しながら説明する。
【００１０】
図１０は、従来取付金具Ｂを示す斜視図である。
【００１１】
図１０に示すように、従来取付金具Ｂは、支柱３７との当接面３８が凹没して形成され、上面に横ビーム取付ボルトのボルト孔３９が形成されているものからなっている。
【００１２】
従来取付金具Ｂにより横ビーム４０を支柱３７に水平に取り付けるには、図１１に示すように、従来取付金具Ｂを支柱３７に固定ボルト４１よって水平に固定する。
【００１３】
従来取付金具Ｂにより横ビーム４０を支柱３７に傾斜して取り付けるには、図１２に示すように、従来取付金具Ｂを垂直面内において当接面３８にそって傾斜させ、固定ボルト４１よって固定する。
【００１４】
横ビーム４０を水平面内において角度をつけて取り付けるには、図１３に示すように、従来取付金具Ｂを水平面内において当接面３８に沿って回転させ、固定ボルト４１によって固定する。
【先行技術文献】
【特許文献】
【００１５】
【特許文献１】特開２００８−３１８２４号公報
【特許文献２】実開昭６２−１９６２２３号公報
【発明の概要】
【発明が解決しようとする課題】
【００１６】
上述した従来取付金具Ａによれば、受け金具２３に横ビーム２２を仮置きすることができるので、支柱２１への横ビーム２２の取り付けが容易に行えるが、受け金具取付ボルト２７が不可欠であるので、外観が悪いと共に、材料費がかかる。
【００１７】
上述した従来取付金具Ｂによれば、固定ボルト４１が露出しないので、外観は、優れているが、固定ボルト４１が不可欠であるので、材料費がかかる。しかも、固定ボルト４１の締結作業がやりずらいので、支柱３７への横ビーム４０の取り付けに時間を要する。
【００１８】
従って、この発明の目的は、横ビームの仮置きができるので、支柱への横ビームの取り付けが容易に行え、しかも、支柱に横ビーム取付金具を固定する横ビーム取付金具用固定ボルトが不要であるので、この点からも支柱への横ビームの取り付けが容易に行えると共に、外観に優れ、さらに、コスト低減を図ることができる防護柵用横ビーム取付金具を提供することにある。
【課題を解決するための手段】
【００１９】
この発明は、上記目的を達成するためになされたものであって、下記を特徴とする。
【００２０】
請求項１に記載の発明は、支柱に横ビームを取り付けるための防護柵用横ビーム取付金具において、板材をＵ字状に折り曲げることにより、前記支柱に巻き付けられるバンド部と前記横ビームが取り付けられる一対の横ビーム取付部とが形成され、前記横ビーム取付部の各々には、前記横ビームの仮置き部と、横ビーム取付ボルトが挿通されるボルト孔とが形成され、前記バンド部は、前記支柱のキャップと一体化され、前記仮置き部は、前記横ビーム取付部の下部に形成された支持材差し込み用開口と、前記支持材差し込み用開口内に挿入可能な支持材とからなっていることに特徴を有するものである。
【発明の効果】
【００２１】
この発明によれば、横ビーム取付部に横ビームの仮置き部を形成することによって、支柱への横ビームの取り付けが容易に行える。
【００２２】
また、この発明によれば、支柱に巻き付けるバンド部と支柱のキャップとを一体化することによって、横ビーム取付金具用固定ボルトを使用することなく、支柱に横ビーム取付金具を取り付けることができるので、支柱への横ビームの取り付けが容易に行えると共に外観に優れ、しかも、コストの低減を図ることができる。
【図面の簡単な説明】
【００２３】
【図１】この発明の防護柵用横ビーム取付金具により構築された防護柵を示す部分平面図である。
【図２】この発明の防護柵用横ビーム取付金具により構築された防護柵を示す部分正面図である。
【図３】図１のＡ矢視図である。
【図４】図１のＢ矢視図である。
【図５】この発明の一方の防護柵用横ビーム取付金具を示す正面図である。
【図６】この発明の他方の防護柵用横ビーム取付金具を示す図であり、（ａ）は、平面図、（ｂ）は、正面図、（Ｃ）は、（ｂ）のＡ矢視図である。
【図７】この発明の別の防護柵用横ビーム取付金具を示す図であり、（ａ）は、平面図、（ｂ）は、正面図である。
【図８（ａ）】この発明の防護柵用横ビーム取付金具における別の仮置き部の使用法を示す正面図である。
【図８（ｂ）】この発明の防護柵用横ビーム取付金具における別の仮置き部の使用法を示す平面図である。
【図８（ｃ）】この発明の防護柵用横ビーム取付金具における別の仮置き部の使用法を示す側面図である。
【図９】従来取付金具Ａによる支柱と横ビームとの取り付け部分を示す分解斜視図である
【図１０】従来取付金具Ｂを示す斜視図である。
【図１１】従来取付金具Ｂにより横ビームを支柱に水平に取り付けた状態を示す正面図である。
【図１２】従来取付金具Ｂにより横ビームを支柱に傾斜して取り付けた状態を示す正面図である。
【図１３】従来取付金具Ｂにより横ビームを水平面内において角度をつけて支柱に取り付けた状態を示す正面図である。
【発明を実施するための形態】
【００２４】
この発明の防護柵用横ビーム取付金具の一実施態様を、図面を参照しながら説明する。
【００２５】
図１は、この発明の防護柵用横ビーム取付金具により構築された防護柵を示す部分平面図、図２は、この発明の防護柵用横ビーム取付金具により構築された防護柵を示す部分正面図、図３は、図１のＡ矢視図、図４は、図１のＢ矢視図、図５は、この発明の一方の防護柵用横ビーム取付金具を示す正面図である。
【００２６】
図１から図４に示すように、この発明の防護柵用横ビーム取付金具Ｃ（以下、単に、横ビーム取付金具Ｃという。）は、板材としての鋼板をＵ字状に折り曲げることにより、支柱１に巻き付けられるバンド部２と横ビーム３が取り付けられる一対の横ビーム取付部４とが形成されたものからなっている。横ビーム取付部４は、対向して平行に形成され、横ビーム取付部４間に横ビーム３の端部が挟み込まれ、横ビーム取付ボルト５により固定される。なお、６は、補強用のエンボスである。
【００２７】
横ビーム取付部４の各々には、横ビーム３の仮置き部７と、横ビーム取付ボルト５が挿通されるボルト孔８とが形成されている。
【００２８】
仮置き部７は、横ビーム取付部４の下部コーナー部を内側に折り曲げることによって形成されている。横ビーム取付部４の下部コーナー部を内側に折り曲げることにより、対向する横ビーム取付部４の間隔が横ビーム３の外径よりも狭まるので、横ビーム３の仮置きが可能となる。また、横ビーム取付部４は、下部コーナー部を内側に折り曲げることにより形成されるため、下方に向かって漸次、対向する横ビーム取付部４の間隔が狭く形成される。この結果、横ビーム取付部４間での横ビーム３の偏りや回転を抑制することができるので、支柱１への横ビーム３の取り付けが容易に行える。
【００２９】
バンド部２は、上部バンド部２ａと下部バンド部２ｂとに２分割されていて、上部バンド部２ａは、支柱１の頂部に被せられるキャップ９と一体化されている。上部バンド部２ａと下部バンド部２ｂとの間に、後述する他方の横ビーム取付金具Ｃのバンド部２が挿入される。
【００３０】
バンド部２がキャップ９と一体化されていることによって、横ビーム取付金具Ｃを支柱１に固定するための横ビーム取付金具用固定ボルトが不要となると共に、横ビーム取付金具Ｃの位置決めが行なえる。他方の横ビーム取付金具Ｃは、バンド部２が一方の横ビーム取付金具Ｃの上部バンド部２ａと下部バンド部２ｂとの間に挿入されるので、上下に移動することはない。横ビーム取付金具用固定ボルトが不要となることによって、支柱１への横ビーム３の取り付けが容易に行えると共に外観に優れ、しかも、コストの低減を図ることができる。
【００３１】
図６に示すように、上述した一方の横ビーム取付金具Ｃと支柱１を挟んで反対側に取り付けられる他方の横ビーム取付金具Ｃは、バンド部２が分割されていない点でのみ、一方の防護柵用横ビーム取付金具Ｃ（図５参照）と相違する。
【００３２】
一方および他方の横ビーム取付金具Ｃにより横ビーム３を支柱１に取り付けるには、支柱１の上端から一方の横ビーム取付金具Ｃのバンド部２と、上部バンド部２ａと下部バンド部２ｂとの間に挟み込んだ他方の横ビーム取付金具Ｃのバンド部２を嵌め込む。上部バンド部２ａと支柱１のキャップ９とは一体化しているので、一方および他方の横ビーム取付金具Ｃのバンド部２を支柱１に嵌め込めば、自動的に支柱１にキャップ９が被せられ、一方および他方の横ビーム取付金具Ｃは、横ビーム取付金具用固定ボルトを使用することなく、支柱１の所定位置に取り付けられる。
【００３３】
次いで、横ビーム３の端部を横ビーム取付金具Ｃの仮置き部７に仮置きし（図２参照）、横ビーム取付ボルト５を横ビーム取付部４のボルト孔８、横ビーム３のボルト孔１０に挿通してナット１１により固定する。
【００３４】
以上のようにして、一方および他方の横ビーム取付金具Ｃにより横ビーム３を支柱１に取り付けることができる。
【００３５】
図７に、この発明の別の防護柵用横ビーム取付金具Ｃを示す。この横ビーム取付金具Ｃは、横ビーム３の仮置き部７の形状のみが上述した横ビーム取付金具Ｃと異なる。図示の横ビーム取付金具Ｃの仮置き部７は、横ビーム取付部４の下端のほぼ中央部を内側に山状に折り曲げたものであり、仮置き効果は、上述した横ビーム取付金具Ｃと同様である。
【００３６】
図８（ａ）から（ｃ）に、別の仮置き部を示す。図８（ａ）から（ｃ）において、図１から図７におけると同一番号は、同一物を示す。
【００３７】
この仮置き部は、横ビーム取付部４の下部コーナー部に形成された支持材差し込み用開口１２と、支持材差し込み用開口１２内に挿入可能な支持材１３とからなっていて、図示されるように、開口１２内に支持材１３を挿入することによって、横ビーム３の仮置きが可能になり、上述した横ビーム取付部４の一部を内側に折り曲げることにより形成した仮置き部７と同様な効果が得られる。
【００３８】
なお、支持材１３は、ドライバー等の工具類、鉄筋、木材等、横ビーム３の自重を支持可能で、開口１２内に差し込み可能なものであれば良い。
【００３９】
以上、説明したように、この発明によれば、横ビーム取付部４に横ビーム３の仮置き部７を形成することによって、支柱１への横ビーム３の取り付けが容易に行える。
【００４０】
また、この発明によれば、支柱１に巻き付けるバンド部２と支柱１のキャップ９とを一体化することによって、横ビーム取付金具用固定ボルトを使用することなく、支柱１に横ビーム取付金具Ｃを取り付けることができるので、支柱１への横ビーム３の取り付けが容易に行えると共に外観に優れ、しかも、コストの低減を図ることができる。
【符号の説明】
【００４１】
１：支柱
２：バンド部
２ａ：上部バンド部
２ｂ：下部バンド部
３：横ビーム
４：横ビーム取付部
５：横ビーム取付ボルト
６：エンボス
７：仮置き部
８：ボルト孔
９：キャップ
１０：ボルト孔
１１：ナット
１２：開口
１３：支持材
２１：支柱
２２：横ビーム
２３：受け金具
２４：受け部
２５：被せ金具
２６：被せ部
２７：受け金具取付ボルト
２８：ボルト孔
２９：ボルト孔
３０：ナット
３１：横ビーム取付ボルト
３２：ボルト孔
３３：ボルト孔
３４：ボルト孔
３５：ナット
３６：貫通孔
３７：支柱
３８：当接面
３９：ボルト孔
４０：横ビーム
４１：固定ボルト
【図１】
0006504731.tif 000002
【図２】
0006504731.tif 000003
【図３】
0006504731.tif 000004
【図４】
0006504731.tif 000005
【図５】
0006504731.tif 000006
【図６】
0006504731.tif 000007
【図７】
0006504731.tif 000008
【図８（ａ）】
0006504731.tif 000009
【図８（ｂ）】
0006504731.tif 000010
【図８（ｃ）】
0006504731.tif 000011
【図９】
0006504731.tif 000012
【図１０】
0006504731.tif 000013
【図１１】
0006504731.tif 000014
【図１２】
0006504731.tif 000015
【図１３】
0006504731.tif 000016